Podtech/llm-jp-corpus-v4-ja_patent huggingface dataset:
(57)【要約】      （修正有）【課題】バードストライクを防止できる音波発生装置を提供する。【解決手段】飛行機の先端に付け、低周波と高周波の両方の音域で飛行機に害のない領域の音を出して鳥を追い払う。【選択図】図１
0003211132.tif 000002
【実用新案登録請求の範囲】
【考案の詳細な説明】
【技術分野】
【００１】鳥が飛来する範囲をジェツト機が上空に向かい上昇する、下降する時地上から５００ｍで飛んでいる鳥を吸い込んでしまうので鳥を逃がす事を考えた、仮に空を飛んでいる鳥を見て手を数回叩けば鳥は離れるのでその事を応用できるのではないかと考えました。
【背景技術】
【００２】低周波と高周波の両方の音域で飛行機に害のない領域の音を出して鳥を追い払えば良いのではないかと考えたのである。【００３】此れを実際に応用するには飛行機の先端に装置を付けるか，飛行場の端に飛行機の飛来する方向に向けて音波発性装置を設置する二つの方法を、用いて鳥を逃がせば良いのではと考えました。
【実用新案が解決しょうとする課題】
バードストライクによりジェツトエンジンが、停止して飛行機が墜落する事を防止する。
乗客のタイムロス、飛行できない事による迷惑、精神的苦痛、家族の心配する精神的苦痛、ジェット機の代替えの無駄、安全性の崩壊、金銭的無駄を最低限にしょうとする事象である。
【課題を解決するための手段】
飛行機の先端又は飛行場の端に音波装置を両方設置する事でバードストライク事案をなくすのである。
〔書類名〕  新案が解決しょうとしている課題
バードストライクの発性による航空機事故の防止、人命保護、飛行機事故に掛かる莫大なお金を抑える事により低価格で安全な空の旅が満喫できるのではと、考えた次第である、此のトラブルによる莫大な時間のロスをなくす数千人、数万人の無駄な時間をなくすのである、飛行会社も乗客も無駄が無くなる。
人々に安全、安価を浸透でき、運賃の低価格にも成る。
0003211132.tif 000003
【手続補正書】
【提出日】平成28年8月22日(2016.8.22)
【手続補正１】
【補正対象書類名】実用新案登録請求の範囲
【補正対象項目名】全文
【補正方法】変更
【補正の内容】
【実用新案登録請求の範囲】
【請求項１】
空港、ジェツト機、船舶、農場自衛隊の船、ジェツト機に応用できる、プロペラの飛行機の窓なども対応可能である
【手続補正２】
【補正対象書類名】図面
【補正対象項目名】全図
【補正方法】変更
【補正の内容】
【図１】
0003211132.tif 000004
【手続補正３】
【補正対象書類名】明細書
【補正対象項目名】全文
【補正方法】変更
【補正の内容】
【考案の詳細な説明】
【技術分野】
【００１】鳥が飛来する範囲をジェツト機が上空に向かい上昇する、下降する時地上から５００ｍ以内に飛来している野鳥をジェツトエンジンに吸い込んでしまうので鳥を逃がす事を考えた、仮に鳩などが地面でエサをつついている時に手を数回叩くと驚いて逃げます、それを応用できると考えました。
【背景技術】
【００２】鳥は５０ｋＨｚまでしか聞こえないので、２０・・・５０ｋＨｚの超音波をランダムに流せば驚いてにげるのでは無いだろうかと考えました。【００３】其れを実際に使用するにはジェツトエンジン付近に超音波発振ミニスピカーを装着するか、飛行場に左右に設置して上空に向けて超音波を流す事で鳥を逃がす事が可能になる。
【実用新案が解決しょうする課題】
鳥がジェツトエンジンに飛び込んでエンジンが提出して落下防止、運航を阻害するのを防止していろいろなトラブルにより乗客に迷惑を及ぼすのを防ぐ、バードストライクの発生による航空機事故防止、人命保護、飛行機事故に掛る莫大なお金を抑える事により低価格で安全安心な空の旅が満喫出来る、運航の時間ロス数千人、数万人の時間ロス、金銭的ロス、農場の鳥害による農作物の無駄、農作物害の防止、運航会社も乗客も無駄が無くなる、安心安全になり運賃の低価格化、農作物の価格が下がる財布に優しくなる。
【図面の簡単な説明】
【００４】
【図１】２０ｋＨｚ以上の電気を流して超音波を発生させる
【手続補正書】
【提出日】平成28年10月24日(2016.10.24)
【手続補正３】
【補正対象書類名】明細書
【補正対象項目名】全文
【補正方法】変更
【補正の内容】
【考案の詳細な説明】
【技術分野】
【００１】鳥が飛来する範囲をジェツト機が上空に向かい上昇する、下降する時地上から５００ｍ以内に飛来している野鳥をジェツトエンジンに吸い込んでしまうので鳥を逃がす事を考えた、仮に鳩などが地面でエサをつついている時に手を数回叩くと驚いて逃げます、それを応用できると考えました。
【背景技術】
【００２】鳥は５０ｋＨｚまでしか聞こえないので、２０・・・５０ｋＨｚの超音波をランダムに流せば驚いてにげるのでは無いだろうかと考えました。【００３】其れを実際に使用するにはジェツトエンジン付近に超音波発振ミニスピカーを装着するか、飛行場に左右に設置して上空に向けて超音波を流す事で鳥を逃がす事が可能になる。
【実用新案が解決しようする課題】
鳥がジェツトエンジンに飛び込んでエンジンが提出して落下防止、運航を阻害するのを防止していろいろなトラブルにより乗客に迷惑を及ぼすのを防ぐ、バードストライクの発生による航空機事故防止、人命保護、飛行機事故に掛る莫大なお金を抑える事により低価格で安全安心な空の旅が満喫出来る、運航の時間ロス数千人、数万人の時間ロス、金銭的ロス、農場の鳥害による農作物の無駄、農作物害の防止、運航会社も乗客も無駄が無くなる、安心安全になり運賃の低価格化、農作物の価格が下がる財布に優しくなる。
【図面の簡単な説明】
【００４】
【図１】  ２０ｋＨｚ以上の電気を流してセラミツクを振動指せて超音波を発生させる
【手続補正１】
【補正対象書類名】実用新案登録請求の範囲
【補正対象項目名】全文
【補正方法】変更
【補正の内容】
【実用新案登録請求の範囲】
【請求項１】
小型超音波発生装置により鳥の嫌がる音を出して鳥を追い払う方法を請求の範囲とする、超音波は直進制なので鋭角に取り付ける事でバードストライクを無くす。
【手続補正２】
【補正対象書類名】図面
【補正対象項目名】全図
【補正方法】変更
【補正の内容】
【図１】
0003211132.tif 000005
【手続補正書】
【提出日】平成29年4月12日(2017.4.12)
【手続補正１】
【補正対象書類名】実用新案登録請求の範囲
【補正対象項目名】全文
【補正方法】変更
【補正の内容】
【実用新案登録請求の範囲】
【請求項１】
飛行機の先端に付けた，低周波と高周波の両方の音域で飛行機に害のない領域の音を出して鳥を追い払う音波発生装置。
(57)【要約】      （修正有）【課題】眼鏡装着時に異物感無く可視方向にライトを照射出来る小型ライト付き眼鏡を提供する。【解決手段】眼鏡テンプル内に電池一体型の小型ＬＥＤライトを組み込み、ＬＥＤライトの電球を収納する孔２を眼鏡フレーム１に設ける。ＬＥＤライト自身がテンプル内に組み込まれるので、違和感の無い眼鏡の収納や取扱いを実現できる。【選択図】図１
0003211137.tif 000002
【実用新案登録請求の範囲】
【請求項１】
眼鏡のテンプル内部に、小型ＬＥＤライトユニット（ライト・電池一体型）が組み込まれ、眼鏡装着時にライトが眼鏡フレーム内の孔に挿入された状態で照射する特徴を持った小型ライト付き眼鏡。
【考案の詳細な説明】
【技術分野】
【０００１】本考案は、小型ＬＥＤライトをテンプル内に組み込んだ懐中電灯機能を有する眼鏡に関するものである。
【背景技術】
【０００２】従来のＬＥＤライト付き眼鏡は、テンプル外部に小型ライトを装着するものである。
眼鏡テンプルにＬＥＤライトを装着するタイプは、たたんだ際に突起があり、かさ張るし、異物感も有りとても使いにくいと言う欠点がある。
【考案の概要】
【考案が解決しようとする課題】
【０００３】本考案は、以上の様な欠点に鑑み、小型ＬＥＤライトを眼鏡テンプル内に組み込み、眼鏡一体型とし突起を無くし、かさ張り・異物感を解消するものである。また小型ＬＥＤライトユニットを組み込むことで配線を不要にし、電池交換も容易にするものである。
【課題を解決するための手段】
【０００４】眼鏡のフレーム太目にし、その中に安価なＯＮＯＦＦスイッチ付き小型ＬＥＤライトを組み込む。眼鏡枠にはフレームを開いた際にライトを収納する孔を空ける。そのような構造を実現する事で眼鏡枠から直接ライトを照射する機能を実装するものである。
また電池の出し入れも簡単。特別な配線も不要である。
【考案の効果】
【０００５】以上の説明から明らかなように、本考案にあっては次に列挙する効果が得られる。
（１）ＬＥＤライト部分が、眼鏡フレーム一体型なのでフレームが容易にたためる（ライト構造部の突起等でかさ張らない）
（２）使用時にライトが、眼鏡枠内から照射されるので、視線の延長線上を照らすことができる。
（３）ＬＥＤライトの電池は、ボタン型なのでフレームの厚さに合わせ組み込むことができ、出し入れも簡単である。
（４）配線不要
【考案を実施するための最良の形態】
【０００６】本考案の実施形態は、図２に示すテンプル内に小型ＬＥＤライトユニットを組み込み、図１に示すＬＥＤライト照射孔から光を照射する。
電源オンオフは、ＬＥＤライトユニットのスイッチで行う。
電池は小型のボタン電池を採用するので、ＬＥＤライトユニットの蓋を外す事で簡単に交換可能。
【図面の簡単な説明】
【０００７】
【図１】本考案を実現する正面図
【図２】本考案を実現する側面図
【図３】本考案を実現するフレームに対するテンプルの稼働図
【図４】本考案を実現する試作品正面写真（消灯状態）
【図５】本考案を実現する試作品正面写真（点灯状態）
【図６】本考案を実現する試作品側面写真（消灯状態）
【図７】本考案を実現する試作品側面写真（点灯状態）
【図８】本考案を実現する試作品フレーム折りたたみ状態写真
【符号の説明】
【０００８】    １  フレーム
２  ＬＥＤライト収納孔
３  テンプル
４  ＬＥＤライト
５  ボタン電池収納スペース
【図１】
0003211137.tif 000003
【図２】
0003211137.tif 000004
【図３】
0003211137.tif 000005
【図４】
0003211137.tif 000006
【図５】
0003211137.tif 000007
【図６】
0003211137.tif 000008
【図７】
0003211137.tif 000009
【図８】
0003211137.tif 000010
【手続補正書】
【提出日】平成29年4月3日(2017.4.3)
【手続補正１】
【補正対象書類名】実用新案登録請求の範囲
【補正対象項目名】全文
【補正方法】変更
【補正の内容】
【実用新案登録請求の範囲】
【請求項１】
眼鏡のテンプル内部に、市販のライトと電池が一体型の小型ＬＥＤライトが組み込まれ、眼鏡装着時にライトが眼鏡フレーム内の孔に挿入された状態で照射する特徴を持った小型ライト付き眼鏡。
(57)【要約】      （修正有）【課題】墓石に取り付け、簡易に取り外しができる墓用花立を提供する。【解決手段】基台２と花立本体１とからなり、基台２と花立本体１とを脱着可能にする連結機構を備えた墓用花立で、前記連結機構は、花立本体の下端に備えた爪部と、基台に備えた受部からなり、前記爪部を受部に係止させて連結したことを特徴とする。【選択図】図１
0003211191.tif 000002
【実用新案登録請求の範囲】
【請求項１】
基台と花立本体とからなり、基台と花立本体とを脱着可能にする連結機構を備えたことを特徴とする墓用花立。
【請求項２】
前記連結機構は、花立本体の下端に備えた爪部と、基台に備えた受部からなり、前記爪部を受部に係止させて連結したことを特徴とする請求項１記載の墓用花立。
【考案の詳細な説明】
【技術分野】
【０００１】本考案は墓石に取り付け、簡易に取り外しができる花立である。
【背景技術】
【０００２】彼岸、盆などの墓参りが集中する時期には飲料ボトル、缶、瓶、仏壇用花立などで代用されていた。
【考案の概要】
【考案が解決しようとする課題】
【０００３】仏壇用花立など、これまでの代用品では割れる、倒れるといったもので怪我などの二次被害も考えられる。これらを解決しようとするものである。
【課題を解決するための手段】
【０００４】本考案は樹脂製なので割れない、墓石に基台を接着させることにより倒れないので問題点を解決している。
【考案の効果】
【０００５】上述のように  割れない・倒れない  に加え取り外し機構を設けていることにより  取り外し  が可能になり単体で洗えることから衛生面にも配慮されており、樹脂製により盗難被害も少なくなる。経年劣化により取り替える際にも専用接着材により墓石を傷つけることなく剥がすことも可能である。
【図面の簡単な説明】
【０００６】
【図１】本考案の墓用花立の外観図。
【図２】基台の連結機構  （ａ）斜視図  （ｂ）平面図
【図３】花立本体の連結機構  （ａ）斜視図  （ｂ）底面図
【考案を実施するための形態】
【０００７】図１で、本発明に外観をしめす。本考案の墓用花立Ｐは、  花立本体１と基台２からなる。基台２は墓石に接着剤等で取り付けられる。花立本体１は基台２に対して脱着可能である。
【０００８】図２で基台の連結機構をしめす。（ａ）は斜視図、（ｂ）は平面図である。基台２は底有の円筒で、内側周囲に、花立本体の爪部３と係止させるための円周方向に長尺状の受部５を、本体の爪部の位置に対応させて４カ所、均等に爪部が下方に通れる間を置いて配置する。基台は円筒以外の形状であってもよい。
【０００９】      図３で花立本体の下端に備えた連結機構を示す。（ａ）は斜視図、（ｂ）は底面図である。
花立本体の下端には、受部５には、円周方向に長尺状の爪部３（４か所）を、均等に間をおいて配置している。
【００１０】爪部及び、受部は、ともに円周方向に長尺状で、それぞれに同じ角度の重なる傾斜面をつけることによって右回しで圧着、左回しで取り外しができる。
【００１１】以下、使用方法を説明する。
基台２を墓石芝台部に専用接着剤を用いて取り付ける。実用強度が出たら、花立本体１の爪部を、基台の受部間の空間に落とし入れ、右回りに回して固定する。
【００１２】取り外し洗浄を行う際には、花立本体１を左に回し、爪部３と受部５を離し、取付部間の空間から上に引き上げる。このようして花立本体１を容易に取外しができ、花体本体の交換も容易にできる。
【産業上の利用可能性】
【００１０】      各店舗への卸業務により需要と供給を期待する。
【符号の説明】
【００１１】      Ｐ  墓用花立
１  花立本体
２  基台
３  爪部
４  花立本体底面
５  受部
【図１】
0003211191.tif 000003
【図２】
0003211191.tif 000004
【図３】
0003211191.tif 000005
(57)【要約】      （修正有）【課題】洋裁に使用する型紙を提供する。【解決手段】原寸サイズの型紙１に対して、予め１／４縮尺にてＡ４サイズの型紙２に作成する。これにより、体型の異なる人でも拡大倍率を変更するだけで対応可能となる。【選択図】図３
0003211195.tif 000002
【実用新案登録請求の範囲】
【請求項１】
洋裁の実寸サイズの平面作図にて作成した型紙に対して、前記型紙のサイズを１／４縮尺にて作成した型紙
【請求項２】
前記１／４縮尺にて作成した型紙がＡ４サイズであることを特徴とする請求項１記載の型紙
【考案の詳細な説明】
【技術分野】
【０００１】本考案は、洋裁の際に使用する型紙に関するものである。
【背景技術】
【０００２】洋裁の裁断には立体裁断と平面裁断があり、立体裁断は体に布を当て立体的に型紙を作る作業であり、一方の平面裁断は紙の上だけで寸法に基づいて型紙を作る作業であり平面作図とも呼ばれている。
【考案の概要】
【考案が解決しようとする課題】
【０００３】洋裁に使用する型紙は、原寸サイズで作成されたものであるため数多くの種類の原型を保有する場合、前記型紙が嵩むだけでなく整理も大変となる。
【課題を解決するための手段】
【０００４】原寸サイズの型紙を１／４縮尺し、且つ、前記型紙の大きさをＡ４サイズにする。
【考案の効果】
【０００５】本考案によれば、型紙自体が非常にコンパクトになり整理し易くなるだけでなく、実際に前記型紙を使用する場合には自宅のコピー機やコンビニエンスストアーに設置されているコピー機の拡大倍率が４００倍までなので、単に４００倍の拡大コピーを行うだけで原寸サイズの型紙となり、さらに体型の異なる者の衣装を作製する時にはコピー機の縦倍率と横倍率を変更すれば体型の異なる者の原型も簡単に作成することが可能となる。
【図面の簡単な説明】
【０００６】
【図１】ニットノッチドカラーツーピースの完成図を示す。
【図２】ニットノッチドカラーツーピースを完成させるための全ての型紙を示す。
【図３】図２のニットノッチドカラーツーピースの型紙の一部を１／４縮尺した型紙の一例を示す。
【考案を実施するための形態】
【０００７】以下、本考案に係る実施の形態を図面により説明する。
【実施例】
【０００８】図１は、ニットノッチドカラーツーピースの完成図を示す。前記ツーピースを完成させるためには図２に示すような原寸の型紙が６枚必要となる。【０００９】本考案である型紙を図３に示す。図２に示す原寸サイズの型紙の一部を例として、左図が原寸サイズの型紙であり右図が原寸サイズの型紙を予め１／４縮尺にてＡ４サイズの紙面に作図したものである。これにより、実際に洋裁する場合にはコピー機を使用して当該平面図を４００％拡大すれば良い。【００１０】尚、本考案の実施形態は一例であり本考案を逸脱しない範囲での変更は可能である。
【符号の説明】
【００１１】１  実寸サイズの型紙
２  １／４縮尺した型紙
【図１】
0003211195.tif 000003
【図２】
0003211195.tif 000004
【図３】
0003211195.tif 000005
(57)【要約】      （修正有）【課題】柔道の試合中に、柔道衣の前身頃がはだけ（乱れ）るのを防ぐために、身頃に紐を設けた柔道衣を提供する。【解決手段】柔道衣（１）に紐（３）と紐（４）を設ける。柔道衣の正装後、上着の左の見頃部分の帯の下部分を帯の上の方にめくりあげ、右見頃の外面の紐（３）と左内面の紐（４）を結び、めくった左見頃をおろして、試合にする。試合中（オリンピック等）に、特に男子の胸が大きく見頃がはだけ（乱）ることを防止する。試合中に柔道衣の見頃がはだけることにより、正装するための時間のロスを防止する。【選択図】図２
0003211198.tif 000002
【実用新案登録請求の範囲】
【請求項１】
右前見頃の外面の設けられる第１の紐と、左前見頃の内面に設けられる第２の紐を有し、第１の紐と第２の紐は、帯を締める位置よりも下に設けられる柔道衣。
【考案の詳細な説明】
【技術分野】
【０００１】  本考案は、柔道の試合中に、柔道衣の前身頃がはだけ（乱れ）るのを防ぐために、身頃に紐を設けた柔道衣。
【背景技術】
【０００２】  従来、柔道衣の見頃合わせが試合中にはだけ（乱）けて、見頃を合わせ、帯を結び直しに時間のロスがある。
【先行技術文献】
【特許文献】
【０００３】
【特許文献１】実登３２０７６４０号公報
【考案の概要】
【考案が解決しようとする課題】
【０００４】  これは次のような欠点があった。
（イ）柔道の試合中に柔道衣の見頃がはだけ（乱）て、見苦しかった。
（ロ）柔道の試合中にはだけた、着直しと帯を締める時間を要した。
本考案は、以上のような欠点をなくすためになされたものである。
【課題を解決するための手段】
【０００５】  柔道衣（１）に紐（３）と紐（４）を設ける、
本考案は、以上の構成による紐付き柔道衣である。
【考案の効果】
【０００６】  （イ）（３）と（３）の紐を結ぶことにより、見頃の合わせが保たれる。
（ロ）見頃の合わせが保たれるので、着直しと帯の結ぶ手間が省ける。
【図面の簡単な説明】
【０００７】
【図１】  本考案の正面図である
【図２】  本考案の紐を結ぶ正面図である
【考案を実施するための形態】
【０００８】  以下、甲案を実施するための形態について説明する。
柔道衣（１）の、右前見頃（５）と左内面（６ｂ）に紐を設ける。
柔道衣（１）の、右前見頃（５）と左内面（６ｂ）の取り付け位置は、帯（２）の下とする。
本考案は、以上のような構造である。
本発明を使用するときは、柔道衣を正装をする時、右前見頃（５）の紐（３）と左内面（６ｂ）の紐（４）を結ぶ。
柔道の試合中の正装と時間を短縮する。
柔道衣のはだけ（乱）による、見苦しさを解消する。
柔道のルール改正の必要がないと思われる。
【符号の説明】
【０００９】    １      柔道衣
２      帯
３      紐
４      紐
５      右前身頃
５ａ    外面
５ｂ    内面
６      左前見頃
６ａ    外面
６ｂ    内面
【図１】
0003211198.tif 000003
【図２】
0003211198.tif 000004
(57)【要約】      （修正有）【課題】蒸気を介在させることなく脱水汚泥の乾燥処理を行うことで、処理過程において必要とされるバイオマス補助燃料を減らすとともに、ボイラの制御に必要とされるセンサー類や付属機器等多くの設備を必要としない、簡便でコンパクトな下水汚泥の燃焼処理をするバイオマス燃焼炉を提供する。【解決手段】ダブルドラムを上部に備え、上部から二個のドラム面が平行して向き合う箇所の脱水汚泥を落とし込む部分にスライドして供給口を開閉する二枚の仕切り板を設け、炉の内部と外部が必ず仕切り板のいずれかに仕切られた状態で脱水汚泥を投入する構造とし、ドラム面で乾燥した汚泥をかきとるスクレパ−をドラム各面に備え、下部にバイオマス燃焼炉を備えて一体化した。【選択図】図３
0003211196.tif 000002
【実用新案登録請求の範囲】
【請求項１】
ダブルドラムを上部に備え、上部から二個のドラム面が平行して向き合う箇所へ脱水汚泥を落とし込む部分にスライドして供給口を開閉する二枚の仕切り板を設け炉の内部と外部が必ず該仕切り板のいずれかに仕切られた状態で脱水汚泥を投入する構造とし、ドラム面で乾燥した汚泥をかきとるスクレパ−をドラム各面に備え、下部にバイオマス燃焼炉を備えて一体化した構造を特徴とするバイオマス燃焼炉。
【請求項２】
回転する二個の平行に向き合うドラムを上部に複数組備え最上部に位置する組の二個のドラム面が平行して向き合う箇所へ上部から食品残渣や製紙スラッジ、飲料水メーカなどで出るお茶の出涸らしやコーヒーカスのような非貼着性の有機系廃棄物を落とし込む部分にスライドして供給口を開閉する二枚の仕切り板を設け炉の内部と外部が必ず該仕切り板のいずれかに仕切られた状態で被処理物を投入する構造としドラム面で乾燥した被乾燥物をかきとるスクレパーを各ドラム面にそれぞれ設け下部にバイオマス燃焼炉を備えて一体化した構造を特徴とするバイオマス燃焼炉。
【考案の詳細な説明】
【技術分野】
【０００１】本考案は回転する二個の平行に向き合うドラムを上部に単数組または複数組備え、下部にバイオマス燃焼路を備えて一体化した有機汚泥及び有機系廃棄物の処理装置に関するものである。
【背景技術】
【０００２】下水汚泥の処理は一般的に化石燃料を用いて施設内で焼却処理されるか、外部の処理業者へ処理を委託する等の方法で処理が行われており処理費用がかさむうえ温暖化防止の観点からも好ましい処理方法ではなかった。【０００３】先行技術として乾燥機を用いて脱水汚泥が自己燃焼可能な含水率になるまで乾燥させたのち補助燃料であるバイオマス燃料とともに焼却し、これらの燃焼熱を利用して蒸気を発生させ、発生した蒸気を乾燥機へ供給して脱水汚泥の乾燥に利用する処理装置がある。（特許文献１）。燃料のエネルギ−を蒸気発生に用い、蒸気のもつエネルギ−で脱水汚泥を乾燥させて処理することは、ボイラの性能に熱効率を左右されやすく、安定して最適な蒸気圧を維持する制御が不可欠でセンサ−類や付属機器等多くの設備を必要とすることから設置面積を相応に確保する必要があることに加え、燃焼熱を直接乾燥に用いる方式より熱効率が落ち、経済性で改善の余地を残す汚泥の処理方法であった。
【先行技術文献】
【特許文献】
【０００４】
【特許文献１】特公昭６１−０６１００９
【特許文献２】特公昭６１−０５７９６４
【特許文献３】Ｗ０２０１０／１５０５２３
【考案の開示】
【考案が解決しようとする課題】
【０００５】燃料のエネルギ−を蒸気発生に用い、蒸気のもつエネルギ−で脱水汚泥を乾燥させて処理することは、バイオマスボイラの性能に熱効率を左右されやすく、安定して最適な蒸気圧を維持する制御が難しくセンサ−類や付属機器等多くの設備を必要とすることから設置面積を相応に確保する必要があることに加え、排熱を直接乾燥に用いる方式より熱効率が落ち、経済性で改善の余地を残す汚泥の処理方法であった。【０００６】そこで、本考案は、蒸気を介在させることなく脱水汚泥の処理を行うことで、処理過程において必要とされるバイオマス補助燃料を減らすとともに、処理過程において捨てられていた排熱の有効利用をはかれるコンパクトで経済的な処理装置を提供する。
【課題を解決するための手段】
【０００７】本考案の処理装置は、上記の目的を達成するため、次の手段を採った。すなわち、ダブルドラムを上部に備え、上部から二個のドラム面が平行して向き合う箇所へ脱水汚泥を落とし込む部分にスライドして供給口を開閉する二枚の仕切り板を設け炉の内部と外部が必ず該仕切り板のいずれかに仕切られた状態で脱水汚泥を投入する構造とし、ドラム面で乾燥した汚泥をかきとるスクレパ−をドラム各面に備え、下部にバイオマス燃焼炉を備えて一体化した。【０００８】回転する二個の平行に向き合うドラムを上部に複数組備え最上部に位置する組の二個のドラム面が平行して向き合う箇所へ上部から食品残渣や製紙スラッジ、飲料水メーカなどで出るお茶の出涸らしやコーヒーカスのような非貼着性の有機系廃棄物を落とし込む部分にスライドして供給口を開閉する二枚の仕切り板を設け炉の内部と外部が必ず該仕切り板のいずれかに仕切られた状態で被処理物を投入する構造としドラム面で乾燥した被乾燥物をかきとるスクレパーを各ドラム面にそれぞれ設け下部にバイオマス燃焼炉を備えて一体化した。
【考案の効果】
【０００９】蒸気を介在させないので、最適に蒸気圧を制御する難しさがなく、簡便にシステムを運用できる。【００１０】センサーや付属機器の数が少なくて済み、コンパクトで経済的。【００１１】燃焼炉内で乾燥と焼却の両方の処理を行うことで、熱損失を限りなく減らして下水汚泥の焼却処理をすることができるので排熱を分散することなく効率的に回収できる。【００１２】被処理物をコンベアー等で搬送する工程が存在しないことから悪臭が作業場内にこもることがなく、作業環境に優しい。【００１３】被処理物を装置外で別途加工運搬する工程が存在しないことから、それらの加工、運搬に必要とされる装置が不要である。
【考案を実施するための形態】
【００１４】ドラムの形態は特に限定しない
【００１５】バイオマス燃焼炉については連続して燃料を供給し、連続運転のできるものであれば特にその形態を限定しない。
【図面の簡単な説明】
【図１】請求項１記載の処理装置の正面概略図である。
【図２】請求項１記載の処理装置の横面概略図である。
【図３】請求項２記載の処理装置の正面概略図である。
【図１】
0003211196.tif 000003
【図２】
0003211196.tif 000004
【図３】
0003211196.tif 000005
(57)【要約】      （修正有）【課題】室内や室外で使用されるエアーフィルターであって、悪臭や浮遊するホコリや花粉などを高効率で吸着、分解、捕集することができる曲面型エアーフィルターを提供する。【解決手段】曲面型エアーフィルターは、多孔質を有する素材２と、不織布、発泡ウレタン、メッシュ素材のいずれかからなる基材濾材３を備え、多孔質を有する素材２は基材濾材３に含侵又はスプレー塗布により担持され、かつ基材濾材３は曲面状に形成され悪臭や浮遊物質を吸着、分解、捕集する機能を有する。【選択図】図２
0003211192.tif 000002
【実用新案登録請求の範囲】
【請求項１】
多孔質を有する素材と基材濾材を備え、前記多孔質を有する素材は前記基材濾材に含侵又はスプレー塗布により担持され、かつ前記基材濾材は曲面状を形成し浮遊する悪臭やホコリや花粉などを高効率で吸着、脱臭、分解、捕集機能を有する曲面型エアーフィルター。
【請求項２】
多孔質を有する素材は、有機質、無機質、ヤシ殻活性炭のいずれかをナノレベルまで粉砕した粒子からなる請求項１項に記載の曲面型エアーフィルター。
【請求項３】
基材濾材は、不織布、発泡ウレタン、メッシュ素材のいずれかからなる請求項１項に記載の曲面型エアーフィルター。
【請求項４】
基材濾材をピアノ線又は針金で曲面状に形成した請求項１項に記載の曲面型エアーフィルター。
【請求項５】
触媒または吸着剤を含み脱臭機能を有する請求項１〜４のいずれか１項に記載の曲面型エアーフィルター。
【請求項６】
プリーツ状に成形された請求項１〜５のいずれか１項に記載の曲面型エアーフィルター。
【考案の詳細な説明】
【技術分野】
【０００１】  本考案は、浮遊する悪臭やホコリや花粉などを脱臭、分解、捕集する機能と曲面状に形成することにより高効率で捕集する機能を有する曲面型エアーフィルターに関するものである。
【背景技術】
【０００２】  従来、一般的なエアーフィルターは、平面型に形成されてなるものが多く存在し、室内、屋外の空気をフィルター平面に当て濾過し、浮遊する悪臭やホコリや花粉などを吸着、捕集する為の工夫がなされている。しかしながら平面に当たる空気の通風量により吸着の効率や捕集の効率といった効果の支障をきたすという恐れがある。
【考案の概要】
【考案が解決しようとする課題】
【０００３】  本考案は多孔質を有する素材を不織布や発泡ウレタン、メッシュ状素材に担持させかつ曲面状に形成することにより空気中に浮遊する悪臭やホコリや花粉などを高効率で吸着、分解、捕集に優れた曲面型エアーフィルターを提供することを課題とするものである。
【課題を解決するための手段】
【０００４】  多孔質を有する素材と基材濾材を備えた前記多孔質を有する素材は前記基材濾材に含侵又はスプレー塗布により担持され、かつ前記基材濾材は曲面状を形成し浮遊する悪臭やホコリや花粉などを高効率で吸着、脱臭、分解、捕集機能を有するものである。【０００５】  これによって、フィルターを曲面状に形成することによりフィルター基材に効率よく空気を集めることができ、かつ担持された多孔質を有する素材に接触しかつ接触面積が増えることにより悪臭の吸着や分解、浮遊するホコリや花粉などを高効率で捕集することを有する曲面型エアーフィルターが実現できる。
【考案の効果】
【０００６】  本考案の曲面型エアーフィルターは、悪臭を吸着、分解、かつ浮遊するホコリや花粉などを高効率で捕集する効果を有するものである。【０００７】  有機質、無機質、ヤシ殻活性炭のいずれかを不織布、発泡ウレタン、メッシュ素材のいずれかに含侵又はスプレー塗布により担持させ、ピアノ線又は針金を超音波シール又は縫製し曲面状に形成する。【０００８】  上記曲面型フィルターを曲面状に形成することによりフィルター基材に空気が効率よく集まり担持された多孔質を有する素材に接触しかつ接触面積が増えることにより悪臭の吸着量や分解量、浮遊するホコリや花粉などを高効率で捕集する。
【図面の簡単な説明】
【０００９】
【図１】  本考案の実施形態を示す実施の形態１〜３における曲面型エアーフィルターの斜視図である。
【図２】  本考案の実施形態を示す同曲面型エアーフィルターの一部を拡大した断面図である。
【符号の説明】
【００１０】    １      曲面型エアーフィルター
２      多孔質を有する素材
３      基材濾材
【図１】
0003211192.tif 000003
【図２】
0003211192.tif 000004
(57)【要約】      （修正有）【課題】放電用鎖で地面へ放電する静電気除去シューズクリップを提供する。【解決手段】靴に取り付けるシューズクリップ１と、シューズクリップに設けられた放電用鎖からなる。靴を履くだけで体の静電気をシューズクリップから放電用鎖を伝って地面に直接放電することで静電気を除去できる。【選択図】図１
0003211159.tif 000002
【実用新案登録請求の範囲】
【請求項１】
シューズクリップ（１）と放電用鎖（２）でなる構造を特徴とした静電気除去シューズクリップ
【考案の詳細な説明】
【技術分野】
【０００１】
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】本考案は体に溜まる静電気を地面へ直接放電する静電気除去シューズクリップに関するものである。
従来、体に溜まった静電気はドアノブや何かの金属に触れた瞬間にバチっと放電と同時に痛みを感じるなど、ドアノブを触るのが恐怖になっていた。
そんな静電気を除去するキーホルダーやブレスレットなど、腕や体の一部に付けたり静電気を空気中に放電するものはあったが、条件によっては体に溜まった静電気をうまく逃がすことが出来ないなど、課題があった。
【課題を解決するための手段】本考案はそうした課題を解決するため考案されたもので、従来はブレスレットなど、体の一部に着け静電気を空気中に放電するものだったが、空気中よりも電気が流れやすい金属を介して地面へ直接放電する方法で解決した。
さらに形状や構造、使用状態も異なるもので、靴に取り付けることで、体への負担をなくした。
構造は簡単でシューズクリップと放電用鎖から構成されていて、シューズクリップで静電気を体の外へ、放電用鎖で地面へ流し放電する。
【考案の効果】この静電気除去シューズクリップは簡単に靴に取り付けられ、体に付けたり持ったりすることなく、靴を履くだけて静電気は体の外へと出て行くので静電気の恐怖から解放される。
本体は歩行の邪魔になるようなことはなく、クリップはバネになっているので靴にしっかりと取り付けられ着脱して、他の靴にも再度簡単に取り付け使用でき大変に便利である。
このシューズクリップは靴の大きさや形、デザインによって変えることが出来る。
クリップ部分にリボンや様々な飾りを取り付けて楽しむことができ、鎖がキラキラと輝き綺麗な靴アクセサリーとして使用出来る。
シューズクリップは靴の左右に各一個取り付ける。
もし、何かの原因で片方が機能しなくても左右のどちらかひとつが付いていれば静電気除去は十分可能なことから、万が一の時も安心である。
本考案を使えば、普段の生活において静電気ショックを感じることがなくなり、静電気の恐怖から解放される。
このシューズクリップは様々なアクセサリーで飾ることが出来る静電気除去靴アクセサリーである。
【図面の簡単な説明】
【図１】図面について説明すると、シューズクリップ（１）と放電用鎖（２）で構成された簡単な構造である。
【図２】図面について説明すると、シューズクリップ（１）に放電用鎖を２本取り付けたものである。
【図３】実施例  シューズクリップ（１）にアクセサリー（３）を取り付けた実施例
【考案を実施するための形態】
使用する際は靴の一部にシューズクリップ（１）で取り付ける。
放電用鎖（２）は地面に接するように長さを調整する。
靴を履くだけて静電気は足からクリップ部分（１）と放電用鎖（２）を伝って地面へ直接放電する仕組みである。
放電用鎖（２）が地面に接していれば、静電気を溜めることなく常時、地面へ放電し逃すことで体に静電気が溜まるのを防止し除去することを可能とした。
【産業上の利用可能性】一般生活において誰でも必要としているもので、構造も簡単で安価に生産販売出来、静電気の恐怖から解放されたいと願う人達を静電気ショックから解放する静電気除去シューズクリップである。
【符号の説明】（１）はシューズクリップ  （２）は放電用鎖  （３）はアクセサリー
【図１】
0003211159.tif 000003
【図２】
0003211159.tif 000004
【図３】
0003211159.tif 000005
【手続補正書】
【提出日】平成29年4月3日(2017.4.3)
【手続補正１】
【補正対象書類名】実用新案登録請求の範囲
【補正対象項目名】全文
【補正方法】変更
【補正の内容】
【実用新案登録請求の範囲】
【請求項１】
靴に取り付けるシューズクリップ（１）と、シューズクリップ（１）に設けられた放電用鎖（２）でなる構造を特徴とした静電気除去シューズクリップ。
(57)【要約】      （修正有）【課題】従来の鉄筋組み立てはなまし鉄線にて人の手により結束していた。手作業のため、時間がかかり個人差により出来栄えが違い作業能率にも差がでた。又重労働でもある。これらを解決・改善するために機械化した鉄筋クリップを提供する。【解決手段】従来の釘打ち機を利用し、釘打ち機の弾である釘をピーナツ型の鉄筋クリップ１にして、異形鉄筋２、３の交差部に直接打ち込み、緊結する。【選択図】図４
0003211156.tif 000002
【実用新案登録請求の範囲】
【請求項１】
建設業で使用する異形鉄筋の組み立て時になまし鉄線で結束するのでなく、釘打ち機を利用して緊結する鉄筋クリップ。
【考案の詳細な説明】
【技術分野】
【０００１】この実用新案は鉄筋組み立てに使用したなまし鉄線をクリップ止めにした鉄筋クリップに関するものである。
【背景技術】
【０００２】従来、鉄筋組み立てはなまし鉄線にて人の手により結束をしていた。
【実用新案の開示】
【実用新案が解決しようとする課題】
【０００３】これには次のような欠点があった。
（イ）手作業であり、時間がかかる。
（ロ）作業効率に個人差がでる。
（ハ）熟練者と初心者で、出来栄えがちがう。
（ニ）結束箇所が多く、不安定な状態での作業もあり長時間で重労働になりやすい。
本、実用新案は以上のような欠点をなくすためになされたものである。
【課題を解決するための手段】
【０００４】人の手により、なまし鉄線にて鉄筋組み立てをしていた作業を釘打ち機にて鉄筋クリップを打ち込み、作業効率を高める。
本、実用新案は以上の構成よりなる鉄筋クリップである。
【実用新案の効果】
【０００５】（イ）作業効率が機械化により上がる。
（ロ）作業の出来栄えが均一化する。
（ハ）時間を短縮し労働条件の改善ができる。
【実用新案を実施するための最良の形態】
【０００６】  以下、本実用新案を実施するための最良の形態について説明する。
鉄筋組み立て作業は複数の異形鉄筋をなまし鉄線にて結束していたがなまし鉄線の施工を釘打ち機を利用してピーナツ形をしたクリップ（１）を打ち込み固定する方法である。
本、実用新案は以上のような構造である。
【図面の簡単な説明】
【０００７】
【図１】本実用新案の正面図である。
【図２】本実用新案の平面図である。
【図３】本実用新案の側面図である。
【図４】本実用新案の参考図である。
【符号の説明】
【０００８】１  鉄筋クリップ
２  異形鉄筋（Ａ）
３  異形鉄筋（Ｂ）
【図１】
0003211156.tif 000003
【図２】
0003211156.tif 000004
【図３】
0003211156.tif 000005
【図４】
0003211156.tif 000006
【手続補正書】
【提出日】平成29年4月7日(2017.4.7)
【手続補正１】
【補正対象書類名】実用新案登録請求の範囲
【補正対象項目名】全文
【補正方法】変更
【補正の内容】
【実用新案登録請求の範囲】
【請求項１】
異形鉄筋の組み立て時において、複数の異形鉄筋を緊結する際に、ピーナツ形の鉄筋クリップを釘打ち機を利用して緊結する鉄筋クリップ。
(57)【要約】      （修正有）【課題】梅の果実から果肉を取り外した後に残る種と種の周辺に残留した果肉を有効活用する容器入り脱臭剤兼芳香剤を提供する。【解決手段】梅の果実から果肉を取り外した後に残る種と種の周辺に残留した果肉を、乾燥させ破砕して更に乾燥させて得られる顆粒状ないし小粒状に加工し、脱臭剤兼芳香剤３として容器４に入れる。【選択図】図２
0003211154.tif 000002
【実用新案登録請求の範囲】
【請求項１】
梅の果実から果肉を取り外した後に残る種と種の周辺に残留した果肉を、乾燥させ破砕して更に乾燥させて得られる顆粒状ないし小粒状の脱臭剤兼芳香剤。
【考案の詳細な説明】
【技術分野】
【０００１】  本考案は、屋内各所すなわち居室・車内・便所・台所・冷蔵庫内・ごみ箱・下駄箱内・履物内外等または愛玩動物の住空間とトイレで用いられる脱臭剤または芳香剤に関するものである。
【背景技術】
【０００２】  木炭は多孔質であることから空気中の臭い成分を吸着して脱臭する効能があることが知られている。花や種子や木材のチップ等など植物性素材は主にその油脂分に含有するテルペン類、芳香族化合物、脂肪族化合物によって、好ましい匂いを放つ芳香の効能があると知られている。【０００３】  梅の果実を利用するにあたって、果肉は食用として需要が多いが、種は種皮が硬い為に容易に食用にならない。そこで果肉だけを利用する場合に、果肉を種の周辺から取り外す加工あるいは果肉の中から種を抜きとる加工がおこなわれている。
【先行技術文献】
【特許文献】
【０００４】  特許文献１では、梅の種を炭化させて吸着剤とする技術が提案されている。特許文献２では、梅の種から植物油脂を得る技術が提案されている。特許文献３では、梅の種を粉砕して芳香剤を得る技術、およびそれを枕の材料とする技術が提案されている。特許文献４では、梅の種の炭素化物を得る技術、およびそれを除湿剤脱臭剤とする技術が提案されている。【０００５】
【特許文献１】特開平５−２１２２７９
【特許文献２】特開平９−７１７９７
【特許文献３】特開２０００−３４５１８６
【特許文献４】特開２００１−１０６５１７
【考案の概要】
【考案が解決しようとする課題】
【０００６】  梅の果実から果肉を取り外した後に残る種と種から取り外しきれずに残留した果肉は、食用として求められないため廃棄されがちである。また、廃棄しようにも種皮が硬くて耐久性が高いことや梅干しの種ならば塩分を含んでいることが理由で堆肥化や焼却が困難であり、梅製品の産地や加工場にとっては処分が課題であった。そこで、当該梅の種と残留果肉の有効活用方法を提供して、廃棄量を削減し、処分の課題を解消したい。
【課題を解決するための手段】
【０００７】  梅の種皮が多くの細孔を有しかつ硬くて耐久性が高いことと、梅の仁と果肉が芳香成分を含有することに着目し、当該梅の種と残留果肉を脱臭剤兼芳香剤に加工して提供する。
【考案の効果】
【０００８】  本考案は、廃棄されがちである梅の種の再製品化に寄与するものである。
【図面の簡単な説明】
【０００９】
【図１】本考案にかかる脱臭剤兼芳香剤の製造工程の模式図である。
【図２】本考案にかかる脱臭剤兼芳香剤を、籠状の容器に収めて安置している実施例の斜視図である。容器を一部透視して内部を示してある。
【図３】本考案にかかる脱臭剤兼芳香剤を、著名な脱臭剤を比較対象としつつ、２０１５年１１月１１日に和歌山県工業技術センターにおいてアンモニアの脱臭効果試験を行った試験分析等成績表の複写である。
【図４】本考案にかかる脱臭剤兼芳香剤を、製造してから１箇年経過させた上で、２０１７年１月３０日に和歌山県工業技術センターにおいてアンモニアの脱臭効果試験を行った試験分析等成績表の複写である。
【考案を実施するための最良の形態】
【００１０】  図１は本考案にかかる脱臭剤兼芳香剤の製造工程の模式図であり、１は梅の実である。【００１１】  原材料とする梅の種と残留果肉は、梅酒の梅や生の青梅の当該部位でも構わないが、梅干しの当該部位が最良である。【００１２】  当該梅の種と残留果肉を脱臭剤兼芳香剤と成すためには、表面積を広くとる加工と種皮内部の仁を露出させる加工を施す必要がある。すなわち、当該梅の種と残留果肉がそのままの形状であっては望ましくなく、長軸方向で１センチメートル未満の顆粒状ないし小粒状に破砕することが最良である。【００１３】  破砕する前後に乾燥工程を設けるのが望ましい。乾燥が不十分であると、破砕加工で得られる砕片が水分でべた付いてしまい、容器への充填および包装等の後の作業に支障を来たすのである。【００１４】  前記製造工程を経て得られた当該梅の種と残留果肉からなる顆粒状ないし小粒状の砕片を、脱臭または芳香を求める任意の場所に安置して実施するのが望ましい。
【実施例】
【００１５】  当該梅の種と残留果肉の加工物からなる顆粒状ないし小粒状の脱臭剤兼芳香剤を、不織布や籠状または網状の通気性がある容器に収めて安置して用いる。容器に収めて安置した実施例を図２に示す。【００１６】  当該梅の種と残留果肉の加工物からなる顆粒状ないし小粒状の脱臭剤兼芳香剤を、愛玩動物の住空間またはトイレに敷き詰めて用いる。【００１７】  当該梅の種と残留果肉の加工物からなる顆粒状ないし小粒状の脱臭剤兼芳香剤を、水またはエタノール等に懸濁して懸濁液を成して噴霧して用いる。または、前記懸濁液に凝固剤を添加してゼリー状にして、不織布や籠状または網状の通気性がある容器に収めて安置して用いる。
【産業上の利用可能性】
【００１８】  梅製品の産地や加工場において、梅の果肉を用いる製品の生産が不断に行われている為、その副産物として、梅の果実から果肉を取り外した後に残る種と種から取り外しきれずに残留した果肉の部位も同じくして生産されているが、当該部位は食用として求められないため廃棄されがちである。本考案によって、当該梅の種と残留果肉が有用なる脱臭剤兼芳香剤となれば、廃棄量が削減でき、処分の課題が解消される為、産業上の利用可能性は高いと言える。
【符号の説明】
【００１９】  １  梅の実
２  梅の果実から果肉を取り外した後に残る種と種から取り外しきれずに残留した果肉  ３  当該種と残留果肉を乾燥させ破砕して再度乾燥させてなる脱臭剤兼芳香剤
４  通気性がある容器
【図１】
0003211154.tif 000003
【図２】
0003211154.tif 000004
【図３】
0003211154.tif 000005
【図４】
0003211154.tif 000006
【手続補正書】
【提出日】平成29年4月7日(2017.4.7)
【手続補正１】
【補正対象書類名】実用新案登録請求の範囲
【補正対象項目名】全文
【補正方法】変更
【補正の内容】
【実用新案登録請求の範囲】
【請求項１】
梅の果実から果肉を取り外した後に残る種と種の周辺に残留した果肉を、乾燥させ破砕して更に乾燥させて得られる顆粒状ないし小粒状であることを特徴とする容器入り脱臭剤兼芳香剤。
【手続補正２】
【補正対象書類名】明細書
【補正対象項目名】００１７
【補正方法】削除
【補正の内容】
(57)【要約】      （修正有）【課題】ダウンスロープのＰＡＴＴＩＮＧストローク練習が可能な機能を付加し、全方向性のＰＡＴＴＩＮＧ練習が可能な多面的機能を有するゴルフ練習用ベースプレートを提供する。【解決手段】上り斜面、下り斜面とフラット面を有し、ボール打ち出し面５がカップ面より高いことを特徴とする、ゴルフパッティング練習用ベースプレートであり、ボール打ち出し面の高低レベルを可変調整ネジ６と可変調節スクリューによってストロークの強弱をコントロールが出来る上に、主カップ２と短かい補助カップ３を使い分けることによりダウンスロープ対応のＰＡＴＴＩＮＧストロークの練習が出来る。逆方向から打球すれば、のぼり斜面（アップヒル）の練習も可能である。【選択図】図１
0003211158.tif 000002
【実用新案登録請求の範囲】
【請求項１】
下り斜面のゴルフパッティングの練習が可能となるように、パット打ち出し面をカップ面より高い位置に設ける構造にした、パ−ソナルタイプの、上り下り斜面とフラット面の３要素を兼ね備えたゴルフパッティング連習具。
【考案の詳細な説明】
【技術分野】
【０００１】本考案は、スポ−ツ分野に於いて重要な位置を占めるゴルフの技術習練に欠くことが出来ないパッティングの練習用器具の有効性を高める目的で、見失われていた新しい機能を付加するものである。
【背景技術】
【０００２】従来のゴルフパッティング練習具は、ボ−ル打球方向に対してフラット又はアップラインに設定されているのが主流であり、所謂ダウンスロ−プ（ダウンヒル）の練習機能が欠けていることに着目することが本考案の主眼である。
【考案の開示】
【考案が解決しようとする課題】
【０００３】簡便にして且つ効果的なゴルフパッティングの技術向上を目的とした練習具を提供するうえには、当然パッティング技術の重大要素である方向性と距離感を養う機能を備えたものでなければならない。
特に後者について言えば、フラットなラインや上り斜面であれば比較的にコントロ−ルが容易であるが下り斜面の場合は、ストレ−トラインであってもかなりコントロ−ルが難しく、まして下りのフックラインやスライスラインであれば、その難易度は最大と成る。
本考案は、従来のゴルフパッティング練習用具に備わっていない、下り斜面の練習も同時に可能と成る構造の複合式ゴルフパッティング練習具を提供しようとするもので、実際のグリ−ン上のゴルフプレイに於いて様々のアンジュレ−ションを想定した中で、特に下り斜面のパッティング練習に重きをおいた機能を備えることを主目的とするのが、本考案の課題点である。
【課題を解決するための手段】
【０００４】グリ−ン上でダウンスロ−プのパッティングを行う際に、カップ迄の長さと斜度に応じてボ−ルを打ち出す強弱が異なるが、言うまでもなく斜度が大きければそれだけ難易度は高くなる。
そこで、本考案のゴルフパッティング練習具においては、斜度の大きさを任意に変化し得る機能を有する構造設計が実現されなければならない。
その課題を解決するための手段として一例を挙げるとすれば、仮にカップ迄の長さを３ｍ程度に設定して、最大斜度を２０度位に設定した人工芝生状のパッティングマットを構成し、そのゴルフボ−ル打ち出し面の高低を自由に設定出来る機構を備えれば良い。
【考案の効果】
【０００５】本考案に成る複合式ゴルフパッティング練習具を利用して、繰り返しダウンスロ−プのパッティングを実行することで、ゴルフプレイ実戦でのグリ−ン上に於ける下り斜面のパッティングストロ−クに、充分なる自信を生み出すことが可能となる。
【考案を実施するための最良の形態】
【０００６】本考案に成るゴルフパッティング練習具は、単に下り斜面の練習のみに止まらず、逆方向から打てば上り斜面の、そして打ち出し面の斜度を０に設定すれば、フラット面のストロ−クが可能となる複合式のゴルフパッティング練習具である。
ボ−ル打ち出し面の高低を自由に変えられる機構とするには、底板と打ち出し面板との間にバネ又は、スクリュ−等をガイド棒と共に設けることにより可能となる。
更に本考案の商品化に際しての付加価値を高めるには、模造グリ−ン面（人工芝等々）に部分的に凹凸の変化を付してアンジュレ−ションを醸し出す工夫や打ち出したボ−ルが手元に戻って来るように側溝を付属させる工夫が施されるならば、まさに理想的な多機能型のゴルフパッティング練習具装置が提供可能となる。
【実施例】
【０００７】図１は、本考案の実施例モデル図（鳥瞰図）である。この構成機構に於いて、ボ−ル打ち出し面（５）で適度な強さで打ち出されたボ−ルは、模造グリ−ン（４）の斜面を転がり短い補助カップ（３）と主カップ（２）に向かう動きをする。
ボ−ル打ち出し面の高低を任意に変えて模造グリ−ン面の斜度を調節する機構を備える構造部分として高低レベル可変調節ネジ（６）及び下辺調節スクリュ−（７）を設ける。
【図面の簡単な説明】
【０００８】
【図１】本考案の実施例モデル図（鳥瞰図）
【図２】本考案の実施例断面図
【符号の説明】（１）本体ベ−スプレ−ト
（２）主カップ
（３）補助カップ
（４）模造グリ−ン面
（５）ボ−ル打ち出し面
（６）高低レベル可変調節ネジ
（７）可変調節スクリュ−
【図１】
0003211158.tif 000003
【図２】
0003211158.tif 000004
【手続補正書】
【提出日】平成29年4月3日(2017.4.3)
【手続補正１】
【補正対象書類名】実用新案登録請求の範囲
【補正対象項目名】全文
【補正方法】変更
【補正の内容】
【実用新案登録請求の範囲】
【請求項１】
上り斜面、下り斜面とフラット面を有し，パット打ち出し面がカップ面より高いことを特徴とする、ゴルフパッティング練習用ベースプレート。